(57)【要約】  【課題】  柱の基礎コンクリートに対する止着強度が比較的優れた、木造建物の柱固定装置を提供する。  【解決手段】  嵌挿杆１の下端部に、逆溝状の中央枠部２ａの両端に互いに反対方向に突出する接続部片２ｂを設けた接続枠２を、前記中央枠部２ａの中央部２ａ´において止着して接続金具を構成する。該接続金具Ａの、土台ｍを通じて柱ｐに嵌挿した前記嵌挿杆１を、止着杆４Ａによって前記柱ｐに止着する。また、中央部片５ａと該中央部片５ａの両端に連設した翼部片５ｂとで成る接合基枠５を、前記土台を載置した基礎コンクリートｃに突設したアンカーボルトｂとこれに螺合した締付けナットｎで、前記中央部片５ａにおいて基礎コンクリートｃに締付ける。そして、該接合基枠５の前記翼部片５ｂと接続金具Ａの前記接続部片２ｂを、前記土台ｍに設けた切欠で構成する収納部１６内で互いにボルト止めする。【選択図】    図１
2010189919.tif 000002
【特許請求の範囲】
【請求項１】
嵌挿杆の下端部に、逆溝状の中央枠部の両端に互いに反対方向に突出する接続部片を設けた接続枠を、前記中央枠部の中央部において止着して接続金具を構成し、該接続金具の、土台を通じて柱に嵌挿した前記嵌挿杆を、止着杆によって前記柱に止着する一方、中央部片と該中央部片の両端に連設した翼部片とで成る接合基枠を、前記土台を載置した基礎コンクリートに突設したアンカーボルトとこれに螺合した締付けナットで、前記中央部片において基礎コンクリートに締付け、該接合基枠の前記翼部片と接続金具の前記接続部片を、前記土台に設けた切欠で構成する収納内で互いにボルト止めした、木造建物の柱固定装置。
【発明の詳細な説明】
【技術分野】
【０００１】
本発明は、基礎コンクリート上に載置した土台を介して柱を前記基礎コンクリートに固定する、木造建物における柱固定装置に関するものである。
【背景技術】
【０００２】
基礎コンクリート上の土台上に載置した柱を前記基礎コンクリートに固定する構造のものとして、ベース板と立設板とから成る断面Ｔ字状の接合金物の立設板を、土台間を通じて柱に嵌挿させてボルトとナットによって柱に止着する一方、土台と基礎コンクリートとの間に、接合金物の前記ベース板を配し、該ベース板を通じて、基礎コンクリートに突設したアンカーボルトの前記土台より突出する先端に、ナットを螺合して締付けた構造のものがある（例えば、特許文献１）。
【先行技術文献】
【特許文献】
【０００３】
【特許文献１】特開２００１−１５９１９１号公報
【発明の概要】
【発明が解決しようとする課題】
【０００４】
前記従来構造のものは、一方を柱に止着した接合金物の他方を、基礎コンクリートに対しては、該基礎コンクリートに木質である土台を締付けるナット（アンカーボルトに螺合する）で締付ける手段を採るため、土台の木質の軟らかさで、ナット締付けが必ずしも万全とはいえず、また、経時変化によって土台がやせることも想定され、締付け強度を維持できないおそれもある。
【０００５】
本発明は、斯様な従来例の欠点に着目し、柱の基礎コンクリートに対する止着強度が比較的優れた、木造建物の柱固定装置を提供することを目的として創案したものである。
【課題を解決するための手段】
【０００６】
嵌挿杆の下端部に、逆溝状の中央枠部の両端に互いに反対方向に突出する接続部片を設けた接続枠を、前記中央枠部の中央部において止着して接続金具を構成し、該接続金具の、土台を通じて柱に嵌挿した前記嵌挿杆を、止着杆によって前記柱に止着する一方、中央部片と該中央部片の両端に連設した翼部片とで成る接合基枠を、前記土台を載置した基礎コンクリートに突設したアンカーボルトとこれに螺合した締付けナットで、前記中央部片において基礎コンクリートに締付け、該接合基枠の前記翼部片と接続金具の前記接続部片を、前記土台に設けた切欠で構成する収納部内で互いにボルト止めした構成とするものである。
【発明の効果】
【０００７】
本発明によれば柱側に止着した接続金具の接続片と、アンカーボルトを利用して基礎コンクリートに締付けた接合基枠を互いにボルト止めして、柱を基礎コンクリートに接続するものであるから安定した接合強度を備え、経時変化の少ない柱の固定装置を提供できる。
【図面の簡単な説明】
【０００８】
【図１】縦断面図。
【図２】図１の一部欠截平面図。
【実施例】
【０００９】
本発明に係る木造建物の柱固定装置は、基礎コンクリートｃに先端（上端）部を突設したアンカーボルトｂと接合金具Ａを組合わせて、前記基礎コンクリートｃに、該コンクリートｃ上に載置した土台ｍ上に立設する柱ｐを止着した構成を採るものである。
【００１０】
接合金具Ａは、管体で成る嵌挿杆１の下端部に、逆溝状の中央枠部２ａの両端に互いに反対方向に突出する接続部片２ｂ，２ｂを連設した接続枠２を、前記中央枠部２ａの、前記接続部片２ｂに並行する中央部片２ａ´において、止着して構成したものである。そして、この接合金具Ａの嵌挿杆１の上部側に３個の挿通孔３Ａ，３Ａ´，３Ａ´´を順次交互に直交させて設け、下部には上部側の前記挿通孔３Ａ，３Ａ´，３Ａ´´中の最下位の挿通孔３Ａ´´に並行する挿通孔３Ｂを設けて、上部側の挿通孔３Ａ，３Ａ´，３Ａ´´を用いて止着杆４Ａによって該上部側を前記柱ｐに、また、下部側の挿通孔３Ｂを利用して止着杆４Ｂによって該下部を前記土台ｍにそれぞれ止着するようにすると共に、接続枠２の接続部片２ｂに、該接続部片２ｂを前記アンカーボルトｂを利用して前記基礎コンクリートｃに締付けた接合基枠５の翼部片５ｂに締付ける接続ボルト６の透孔７を設けてある。
【００１１】
接合基枠５は、中央部片５ａと該中央部片５ａの両端に一段浮き上がらせて連設した前記翼部片５ｂ，５ｂとで成り、中央部片５ａに前記アンカーボルトｂを貫通させる組付け孔８を設け、翼部片５ｂには接続部片２ｂに設けた前記透孔７に対応するねじ孔９を設けたものである。
【００１２】
そして、基礎コンクリートｃに突設したアンカーボルトｂの先端（上端）部を、組付け孔８において貫通させるようにして基礎コンクリートｃ上に載せ、組付け孔８より突出するボルト先端部ｂ´に、調整片１０および座金１１を介して締付けナットｎを螺合して基礎コンクリートｃに、接合基枠５を締付け、該接合基枠５の翼部片５ｂ，５ｂ上に、接合金具Ａの接続枠２の接続部片２ｂを重ね合わせ、接続部片２ｂの透孔７を通じて翼部片５ｂ側のねじ孔９に接続ボルト６を螺合、締付けて接合金具Ａを接合基枠５を介して基礎コンクリートｃ上に立設し、該接合金具Ａの嵌挿杆１を土台ｍと該土台ｍ上に配する柱ｐに止着して実施例装置を得るのである。
【００１３】
すなわち、土台ｍには、下面の適所に、切欠を設けて接合金具Ａの、接続枠２側の下端部を嵌合する収納部１６を構成させ、該収納部１６の天井壁部を開口した縦孔１７と、該縦孔１７と直交する貫通孔１３Ｂをそれぞれ設けておき、該土台ｍを、収納部１６に基礎コンクリートｃ上に立設した接合金具Ａの接続枠２側の下部を嵌合するようにして、縦孔１７に接合金具Ａの嵌挿杆１を貫通させて基礎コンクリートｃ上に基礎パッキン１９を介して載置し、前記貫通孔１３Ｂとこれに一致する、嵌挿杆１側の挿通孔３Ｂに止着杆４Ｂを嵌挿して、嵌挿杆１を土台ｍに止着し、土台ｍより突出する、接合金具Ａの嵌挿杆１上部に、柱ｐに下面を開口して設けた嵌挿穴１４を外嵌させて柱ｐを土台ｍ上に立ち上げ、柱ｐに交互に直交するように並設した貫通孔１３Ａ，１３Ａ´，１３Ａ´´と、これらに一致する挿通孔３Ａ，３Ａ´，３Ａ´´に止着杆４Ａをそれぞれ嵌挿して、実施例装置を得るのである。
【００１４】
なお、組付け孔８および調整片１０の透孔１０ａをアンカーボルトｂの径より大径にしてあるのは、アンカーボルトｂの設置誤差や土台ｍの加工誤差を吸収するためである。
【００１５】
また、実施例装置は、土台ｍと基礎コンクリートｃとの間に床下と屋外側とを連通させるための通気口を構成する基礎パッキン１９を用いているが、この基礎パッキン１９は必ずしも用いる必要はない。このパッキン１９を省略する場合は、実施例にあっては、接合金具Ａと接続枠２と該接続枠２を接続ボルト６で止着した接合基枠５を収納する収納部１６を、パッキン１９がその一部を構成するが、土台ｍに形成した切欠だけで構成することになり、従って、収納部１６を構成する切欠は奥行幅がパッキン１９の板厚分広くなることになる。
【符号の説明】
【００１６】
１          嵌挿部
２          接続枠
２ａ        中央枠部
２ｂ        接続部片
４Ａ        止着杆
５          嵌合基枠
５ａ        中央部片
５ｂ        翼部片
１６        収納部
Ａ          接続金具
ｃ          基礎コンクリート
ｍ          土台
ｎ          締付けナット
【図１】
2010189919.tif 000003
【図２】
2010189919.tif 000004